(57)【特許請求の範囲】
【請求項１】
２輪車用のヘルメットおよび携帯電話機からなるヘルメット／携帯電話機システムにおいて、
前記ヘルメットは、
バッテリを備えず、
前記ヘルメットの周囲の動画像または静止画像を撮像して第１の画像信号を出力するカメラと、
前記ヘルメットを装着している人の音声または周囲の音を取得して第１の音声信号を出力するマイクロホンと、
前記ヘルメットを装着している前記人の耳に近接して放音するイヤホンと、
前記カメラからの前記第１の画像信号および前記マイクロホンからの前記第１の音声信号を符号化する信号処理手段と、
前記信号処理手段で符号化された前記第１の画像信号および前記第１の音声信号を前記携帯電話機に送信し、前記携帯電話機から送信されてくる第２の音声信号を受信する第１の通信手段と、
前記第２の音声信号により放音させるように前記イヤホンを駆動する駆動手段と、
前記携帯電話機または他の機器から有線で供給された電力を前記カメラ、前記信号処理手段、前記第１の通信手段および前記駆動手段に分配する電力分配手段と
を備え、
前記携帯電話機は、
前記携帯電話機に内蔵されているバッテリから前記ヘルメットに電力を有線で供給するインタフェースと、
前記ヘルメットから送信されてくる前記第１の画像信号および前記第１の音声信号を受信し、前記ヘルメットに前記第２の音声信号を送信する第２の通信手段と、
前記インタフェースを通じて前記ヘルメットに電力が有線で供給された場合、前記第２の通信手段の機能を有効化し、起動を通知するための前記第２の音声信号を前記第２の通信手段に前記ヘルメットに送信させる有効化手段と
を備えるヘルメット／携帯電話機システム。
【請求項２】
請求項１に記載のヘルメット／携帯電話機システムにおいて、
前記信号処理手段は、周囲の音を打ち消す音声を出力させる第３の音声信号を前記第１の音声信号から生成し、
前記駆動手段は、前記第３の音声信号により放音させるように前記イヤホンを駆動する
ヘルメット／携帯電話機システム。
【請求項３】
請求項１に記載のヘルメット／携帯電話機システムにおいて、
前記第１の通信手段は、前記携帯電話機から送信されてくる第２の画像信号を受信し、
前記ヘルメットは、前記第２の画像信号による画像を表示するシールドをさらに備え、
前記有効化手段は、前記インタフェースを通じて前記ヘルメットに電力が有線で供給された場合、起動を通知するための前記第２の画像信号を前記第２の通信手段に送信させる
ヘルメット／携帯電話機システム。
【請求項４】
請求項３に記載のヘルメット／携帯電話機システムにおいて、
前記シールドは、液晶表示装置を含んでいる
ヘルメット／携帯電話機システム。
【請求項５】
周囲の動画像または静止画像を撮像して画像信号を出力するカメラ、音声または周囲の音を取得して第１の音声信号を出力するマイクロホン、イヤホン、前記画像信号および前記第１の音声信号を符号化する信号処理手段、符号化された前記画像信号および前記第１の音声信号を送信し、第２の音声信号を受信する第１の通信手段、前記第２の音声信号により放音させるように前記イヤホンを駆動する駆動手段、並びに前記カメラ、前記信号処理手段、前記第１の通信手段および前記駆動手段に、有線接続インタフェースを介して供給された電力を分配する電力分配部を備え、バッテリを備えない２輪車用のヘルメットに有線で電力を供給し、前記ヘルメットに有線通信および近距離無線通信のいずれか一方または両方で接続される携帯電話機において、
内蔵されているバッテリから前記ヘルメットに電力を有線で供給するインタフェースと、
前記ヘルメットから送信されてくる前記画像信号および前記第１の音声信号を受信し、前記ヘルメットに前記第２の音声信号を送信する第２の通信手段と、
前記インタフェースを通じて前記ヘルメットに電力が有線で供給された場合、前記第２の通信手段の機能を有効化し、起動を通知するための前記第２の音声信号を前記第２の通信手段に前記ヘルメットに送信させる有効化手段と
を備える携帯電話機。
【請求項６】
画像を表示するシールド、イヤホン、有線通信または近距離無線通信で通信する通信部、前記シールドおよび前記イヤホンを駆動する駆動部並びに前記通信部および前記駆動部に電力を分配する電力分配部を備え、バッテリを備えない２輪車用のヘルメットに有線で電力を供給し、前記ヘルメットに有線通信および近距離無線通信のいずれか一方または両方で接続される携帯電話機を制御するコンピュータに、
経路を案内するための画像を前記ヘルメットの前記シールドに表示させる画像データを生成する画像データ生成ステップと、
前記経路を案内するための音声を前記ヘルメットの前記イヤホンに出力させる音声データを生成する音声データ生成ステップと、
有線通信および近接無線通信のいずれか一方または両方による前記画像データおよび前記音声データの前記ヘルメットへの送信を制御する送信制御ステップと、
有線による前記ヘルメットへの電力の供給の開始により、前記画像データ生成ステップ、前記音声データ生成ステップおよび前記送信制御ステップを行う機能を有効化し、起動を通知するための音声データまたは画像データを前記ヘルメットに送信させる有効化ステップと
を含む処理を実行させるプログラム。
【請求項７】
周囲を撮像するカメラ、マイクロホン、イヤホン、有線通信または近距離無線通信で通信する通信部、前記イヤホンを駆動する駆動部並びに前記カメラ、前記通信部および前記駆動部に電力を分配する電力分配部を備え、バッテリを備えない２輪車用のヘルメットに有線で電力を供給し、前記ヘルメットに有線通信および近距離無線通信のいずれか一方または両方で接続される携帯電話機を制御するコンピュータに、
有線通信および近接無線通信のいずれか一方または両方により前記ヘルメットから送信されてくる、前記ヘルメットの周囲の画像の画像データおよび前記ヘルメットを装着している人の音声または周囲の音の第１の音声データの受信を制御する受信制御ステップと、
前記携帯電話機に内蔵されている加速度センサから信号により、所定の値を超える衝撃が前記携帯電話機に加わったか否かを判定する判定ステップと、
所定の値を超える衝撃が前記携帯電話機に加わったと判定された場合、前記画像データおよび前記第１の音声データを記憶媒体に記憶するように記憶を制御する記憶制御ステップと、
有線による前記ヘルメットへの電力の供給の開始により、前記受信制御ステップ、前記判定ステップおよび前記記憶制御ステップを行う機能を有効化し、前記イヤホンで起動を通知するための第２の音声データを前記ヘルメットに送信させる有効化ステップと
を含む処理を実行させるプログラム。
【請求項８】
請求項７に記載のプログラムにおいて、
所定の値を超える衝撃が前記携帯電話機に加わったと判定された場合、セルラー方式無線通信により予め定められた連絡先に発呼する通信制御ステップ
をさらに含む処理を実行させるプログラム。
【発明の詳細な説明】
【技術分野】
【０００１】
本発明はヘルメット／携帯電話機システム、携帯電話機およびプログラムに関し、特に、２輪車に乗る場合に用いられるヘルメット／携帯電話機システム、携帯電話機およびプログラムに関する。
【背景技術】
【０００２】
いわゆるオートバイや自転車などの２輪車に乗る場合、乗車する人の安全を守るためにヘルメットが広く使われている。
【０００３】
ヘルメットにカメラやマイクロホン、イヤホンを内蔵することが提案されている。
【０００４】
従来、ヘルメットは剛性のハウジングを備え、ハウジング内に組み込まれた記録システムを有し、記録システムは、さらに、ヘルメットハウジングに組み込まれた電源、制御システム、内蔵メモリを備えた記録装置、外部メモリカードに接続する装置、外部機器及び／又は送電網に接続するための電気コネクタを有している（例えば、特許文献１参照）。
【０００５】
また、ヘルメット本体とヘルメット本体に配置された一体化型電子システムとを有する電子ヘルメットが提案されている（例えば、特許文献２参照）。この電子ヘルメットでは、電子システムが、使用者に、多くの便利な機能を提供し、無線遠隔制御で動作可能である。
【先行技術文献】
【特許文献】
【０００６】
【特許文献１】登録実用新案第３２０４１１５号公報
【特許文献２】特表２００８−５４２５５８号公報
【発明の概要】
【発明が解決しようとする課題】
【０００７】
しかしながら、先行技術文献のヘルメットのように、カメラ、画像記録装置、位置センサ（GPS（global positioning system））などの装置とこれらの装置の駆動用の再充電可能なバッテリ、すなわち蓄電池（二次電池）を内蔵したヘルメットが提案されているが、いずれも、自己完結型の装置であるため、前記の装置以外に、通話装置、加速度センサ、衝撃感知センサなどを装備する必要があり、コストが高くなってしまう。これに加えて、特に、バッテリの体積が大きく、重量も重くなるので、ヘルメット自身の体積が大きくなり、重量も増えて、重心位置が変化してバランスが悪くなる。すなわち、頭部を保護するというヘルメットの基本的な機能が劣化してしまう。
【０００８】
さらに、常時使用されない場合など、バッテリおよびその他の装置の保守・点検の煩雑さも課題となる。
【０００９】
本発明は、このような状況に鑑みてなされたものであり、ヘルメットの基本的な機能の劣化をより少なくして、ヘルメットにおいて画像や音声を利用できるようにするものである。
【課題を解決するための手段】
【００１０】
本発明の第１の側面のヘルメット／携帯電話機システムは、２輪車用のヘルメットおよび携帯電話機からなるヘルメット／携帯電話機システムであって、ヘルメットが、バッテリを備えず、ヘルメットの周囲の動画像または静止画像を撮像して第１の画像信号を出力するカメラと、ヘルメットを装着している人の音声または周囲の音を取得して第１の音声信号を出力するマイクロホンと、ヘルメットを装着している人の耳に近接して放音するイヤホンと、カメラからの第１の画像信号およびマイクロホンからの第１の音声信号を符号化する信号処理手段と、信号処理手段で符号化された第１の画像信号および第１の音声信号を携帯電話機に送信し、携帯電話機から送信されてくる第２の音声信号を受信する第１の通信手段と、第２の音声信号により放音させるようにイヤホンを駆動する駆動手段と、携帯電話機または他の機器から有線で供給された電力をカメラ、信号処理手段、第１の通信手段および駆動手段に分配する電力分配手段とを備え、携帯電話機が、携帯電話機に内蔵されているバッテリからヘルメットに電力を有線で供給するインタフェースと、ヘルメットから送信されてくる第１の画像信号および第１の音声信号を受信し、ヘルメットに第２の音声信号を送信する第２の通信手段と、インタフェースを通じてヘルメットに電力が有線で供給された場合、第２の通信手段の機能を有効化し、起動を通知するための第２の音声信号を第２の通信手段にヘルメットに送信させる有効化手段とを備える。
【００１２】
信号処理手段には、周囲の音声を打ち消す音声を出力させる第３の音声信号を第１の音声信号から生成させ、駆動手段には、第３の音声信号により放音させるようにイヤホンを駆動させることができる。
【００１３】
第１の通信手段には、携帯電話機から送信されてくる第２の画像信号を受信させ、ヘルメットには、第２の画像信号による画像を表示するシールドをさらに設け、有効化手段は、インタフェースを通じてヘルメットに電力が有線で供給された場合、起動を通知するための第２の画像信号を第２の通信手段に送信させることができる。
【００１４】
シールドに、液晶表示装置を設けることができる。
本発明の第２の側面の携帯電話機は、周囲の動画像または静止画像を撮像して画像信号を出力するカメラ、音声または周囲の音を取得して第１の音声信号を出力するマイクロホン、イヤホン、画像信号および第１の音声信号を符号化する信号処理手段、符号化された画像信号および第１の音声信号を送信し、第２の音声信号を受信する第１の通信手段、第２の音声信号により放音させるようにイヤホンを駆動する駆動手段、並びにカメラ、信号処理手段、第１の通信手段および駆動手段に、有線接続インタフェースを介して供給された電力を分配する電力分配部を備え、バッテリを備えない２輪車用のヘルメットに有線で電力を供給し、ヘルメットに有線通信および近距離無線通信のいずれか一方または両方で接続される携帯電話機であって、内蔵されているバッテリからヘルメットに電力を有線で供給するインタフェースと、ヘルメットから送信されてくる画像信号および第１の音声信号を受信し、ヘルメットに第２の音声信号を送信する第２の通信手段と、インタフェースを通じてヘルメットに電力が有線で供給された場合、第２の通信手段の機能を有効化し、起動を通知するための第２の音声信号を第２の通信手段にヘルメットに送信させる有効化手段とを備える。
【００１５】
本発明の第３の側面のプログラムは、画像を表示するシールド、イヤホン、有線通信または近距離無線通信で通信する通信部、シールドおよびイヤホンを駆動する駆動部並びに通信部および駆動部に電力を分配する電力分配部を備え、バッテリを備えない２輪車用のヘルメットに有線で電力を供給し、ヘルメットに有線通信および近距離無線通信のいずれか一方または両方で接続される携帯電話機を制御するコンピュータに、経路を案内するための画像をヘルメットのシールドに表示させる画像データを生成する画像データ生成ステップと、経路を案内するための音声をヘルメットのイヤホンに出力させる音声データを生成する音声データ生成ステップと、有線通信および近接無線通信のいずれか一方または両方による画像データおよび音声データのヘルメットへの送信を制御する送信制御ステップと、有線によるヘルメットへの電力の供給の開始により、画像データ生成ステップ、音声データ生成ステップおよび送信制御ステップを行う機能を有効化し、起動を通知するための音声データまたは画像データをヘルメットに送信させる有効化ステップとを含む処理を実行させる。
【００１６】
本発明の第４の側面のプログラムは、周囲を撮像するカメラ、マイクロホン、イヤホン、有線通信または近距離無線通信で通信する通信部、イヤホンを駆動する駆動部並びにカメラ、通信部および駆動部に電力を分配する電力分配部を備え、バッテリを備えない２輪車用のヘルメットに有線で電力を供給し、ヘルメットに有線通信および近距離無線通信のいずれか一方または両方で接続される携帯電話機を制御するコンピュータに、有線通信および近接無線通信のいずれか一方または両方によりヘルメットから送信されてくる、ヘルメットの周囲の画像の画像データおよびヘルメットを装着している人の音声または周囲の音の第１の音声データの受信を制御する受信制御ステップと、携帯電話機に内蔵されている加速度センサから信号により、所定の値を超える衝撃が携帯電話機に加わったか否かを判定する判定ステップと、所定の値を超える衝撃が携帯電話機に加わったと判定された場合、画像データおよび第１の音声データを記憶媒体に記憶するように記憶を制御する記憶制御ステップと、有線によるヘルメットへの電力の供給の開始により、受信制御ステップ、判定ステップおよび記憶制御ステップを行う機能を有効化し、イヤホンで起動を通知するための第２の音声データをヘルメットに送信させる有効化ステップとを含む処理を実行させる。
【００１７】
プログラムには、所定の値を超える衝撃が携帯電話機に加わったと判定された場合、セルラー方式無線通信により予め定められた連絡先に発呼する通信制御ステップをさらに含む処理を実行させることができる。
【発明の効果】
【００１８】
以上のように、本発明によれば、ヘルメットの基本的な機能の劣化をより少なくして、ヘルメットにおいて画像や音声を利用できる。
【図面の簡単な説明】
【００１９】
【図１】本発明の一実施の形態のヘルメット／携帯電話機システムの使用状態を説明する図である。
【図２】ヘルメット１１の電気的な構成を示すブロック図である。
【図３】携帯電話機１２のハードウェアの構成の例を示すブロック図である。
【図４】プログラムを実行する携帯電話機１２において実現される機能の構成の例を示すブロック図である。
【図５】ヘルメットアプリ１０１による起動の処理を説明するフローチャートである。
【図６】ヘルメットアプリ１０１による走行動画像記憶の処理を説明するフローチャートである。
【図７】ヘルメットアプリ１０１によるナビゲーションの処理を説明するフローチャートである。
【発明を実施するための形態】
【００２０】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２１】
本発明の第１の側面のヘルメット／携帯電話機システムは、２輪車用のヘルメット（例えば、図１のヘルメット１１）および携帯電話機（例えば、図１の携帯電話機１２）からなるヘルメット／携帯電話機システムであって、ヘルメットが、バッテリを備えず、ヘルメットの周囲の動画像または静止画像を撮像して第１の画像信号を出力するカメラ（例えば、図１のカメラ３３）と、ヘルメットを装着している人の音声または周囲の音を取得して第１の音声信号を出力するマイクロホン（例えば、図１のマイクロホン３５）と、ヘルメットを装着している人の耳に近接して放音するイヤホン（例えば、図１のイヤホン３４−１または３４−２）と、カメラからの第１の画像信号およびマイクロホンからの第１の音声信号を符号化する信号処理手段（例えば、図２の信号処理部６１）と、信号処理手段で符号化された第１の画像信号および第１の音声信号を携帯電話機に送信し、携帯電話機から送信されてくる第２の音声信号を受信する第１の通信手段（例えば、図２の近距離無線通信部５２または有線接続インタフェース５４）と、第２の音声信号により放音させるようにイヤホンを駆動する駆動手段（例えば、図２の駆動部５３）と、携帯電話機または他の機器から有線で供給された電力をカメラ、信号処理手段、第１の通信手段および駆動手段に分配する電力分配手段（例えば、図２の電力分配器６３）とを備え、携帯電話機が、携帯電話機に内蔵されているバッテリからヘルメットに電力を有線で供給するインタフェース（例えば、図３の外部接続インタフェース９４）と、ヘルメットから送信されてくる第１の画像信号および第１の音声信号を受信し、ヘルメットに第２の音声信号を送信する第２の通信手段（例えば、図３の近距離無線通信部９０または外部接続インタフェース９４）と、インタフェースを通じてヘルメットに電力が有線で供給された場合、第２の通信手段の機能を有効化し、起動を通知するための第２の音声信号を第２の通信手段にヘルメットに送信させる有効化手段（例えば、図４のアクティベート制御部１２１）とを備える。
【００２２】
以下、図１乃至図７を参照して、本発明の実施の形態を説明する。
【００２３】
図１は、本発明の一実施の形態のヘルメット／携帯電話機システムの使用状態を説明する図である。ヘルメット／携帯電話機システム１は、ヘルメット１１および携帯電話機１２からなる。ヘルメット１１は、２輪車用のヘルメットである。すなわち、ヘルメット１１は、いわゆるオートバイまたはスクーターなどとも称されるモータサイクルである２輪車に乗る人、いわゆるライダーにより頭に被られる。ヘルメット１１は、ライダーの頭を保護する。例えば、ヘルメット１１は、転倒した場合、ライダーの頭に加わる衝撃を吸収し、ライダーの頭を保護する。例えば、ヘルメット１１は、２輪車の走行中、風や雨、または小石や虫などの飛来物からライダーの頭を保護する。
【００２４】
携帯電話機１２は、いわゆるスマートフォンなどであり、セルラー方式無線通信により他の携帯電話機や電話機などと接続し、通話できる。携帯電話機１２は、バッテリを内蔵し、ナビゲーションプログラムなどの各種のプログラムを実行する。携帯電話機１２が実行するプログラムのうち、アプリケーションプログラムは、アプリなどとも称される。
【００２５】
携帯電話機１２は、ヘルメット１１と有線で接続される。携帯電話機１２は、ヘルメット１１とケーブル１３で接続され、内蔵しているバッテリからヘルメット１１に電力を供給する。また、携帯電話機１２は、ヘルメット１１と有線通信および近距離無線通信のいずれか一方または両方で接続され、各種のデータや信号をやり取りする。
【００２６】
ヘルメット１１は、ヘルメット１１の外殻である帽体３１、液晶表示装置付きシールド３２、カメラ３３、イヤホン３４−１および３４−２並びにマイクロホン３５を含み構成されている。帽体３１は、シェルとも称され、比較的強度および剛性の高い繊維強化プラスチックなどの素材からなり、転倒時の衝撃を受け止め、分散させる。帽体３１の内部には、発泡スチロールなどからなり、衝撃を吸収するための緩衝体であるライナーや、より柔らかくライダーの頭に接するパッドが設けられている。
【００２７】
ヘルメット１１は、いわゆるフルフェース型であり、帽体３１の前下側には、ライダーの口元および顎を保護するためのチンガードが形成されている。すなわち、帽体３１は、ライダーの視界を確保する部分以外を覆う形状とされている。
【００２８】
帽体３１の前側には、ライダーの視界を確保する部分を覆う液晶表示装置付きシールド３２が開閉可能に設けられている。液晶表示装置付きシールド３２は、いわゆるウィンドシールドであり、ポリカーボネートなどの透明または半透明で硬質の樹脂からなる。例えば、液晶表示装置付きシールド３２は、シールドの部分をハーフミラーまたはHOE（Holographic Optical Element）として構成し、液晶表示装置で形成した仮想映像を、シールドに反射させてライダーの眼に投影する網膜走査・投影方式ディスプレイとすることができる。また、例えば、液晶表示装置付きシールド３２は、シールドの部分をハーフミラーとして構成し、液晶表示装置で形成した虚像を、シールドに反射させてライダーに見せる虚像投影方式ディスプレイとすることができる。
【００２９】
液晶表示装置付きシールド３２の左右のそれぞれの端部は、帽体３１に回動可能に軸支されている。液晶表示装置付きシールド３２の全面または一部の面には、液晶表示装置が設けられ、各種の画像を表示することができる。
【００３０】
カメラ３３は、帽体３１の前上側に設けられ、ヘルメット１１の周囲の動画像または静止画像を撮像して画像信号を出力する。カメラ３３は、レンズなどの光学系およびCCD(charge coupled device)イメージセンサまたはCMOS（complementary metal-oxide-semiconductor field-effect transistor）イメージセンサなどの撮像素子などからなる。
【００３１】
イヤホン３４−１は、帽体３１の左側の内側に設けられている。イヤホン３４−１は、ヘルメット１１を装着しているライダーの耳に近接して放音する。イヤホン３４−２（図１には図示せず）は、帽体３１の右側の内側に設けられている。イヤホン３４−２は、ヘルメット１１を装着しているライダーの耳に近接して放音する。換言すれば、イヤホン３４−１および３４−２は、それぞれ、装着しているライダーの左右の耳のそれぞれに音響的に密結合し、電気信号から音響信号を得る電気音響変換器である。
【００３２】
マイクロホン３５は、帽体３１のチンガードの部分の内側に設けられている。マイクロホン３５は、例えば、ダイナミック形の組合せマイクロホンなどからなり、ヘルメット１１を装着しているライダーの音声または周囲の音（２輪車の音や環境音、他の車両や他の人の音など）を取得して音声信号を出力する。例えば、マイクロホン３５は、ライダーの音声を取得するマイクロホンと周囲の音を取得するマイクロホンとからなる組合せマイクロホンとすることができる。
【００３３】
図２は、ヘルメット１１の電気的な構成を示すブロック図である。ヘルメット１１には、液晶表示装置付きシールド３２、カメラ３３、イヤホン３４−１および３４−２並びにマイクロホン３５に加えて、制御部５１、近距離無線通信部５２、駆動部５３および有線接続インタフェース５４が設けられている。制御部５１、近距離無線通信部５２、駆動部５３および有線接続インタフェース５４は、例えば、IC(Integrated Circuit)やモジュール、コネクタなど、１つの電子的／電気的なデバイスとして構成することもできるし、複数のデバイスで構成して、ヘルメット１１に分散して配置することもできる。
【００３４】
カメラ３３は、ヘルメット１１の周囲の動画像または静止画像を撮像して得られた画像信号を制御部５１に供給する。マイクロホン３５は、ヘルメットを装着しているライダーの音声または周囲の音を取得して得られた音声信号を制御部５１に供給する。
【００３５】
制御部５１は、起動するとROM（Read Only Memory）に記憶されているプログラムを実行するCPU（Central Processing Unit）を含む汎用のマイクロコンピュータやASIC（application specific integrated circuit）またはFPGA（field-programmable gate array）などの専用のIC（Integrated Circuit）などで構成され、カメラ３３およびマイクロホン３５の動作を制御する。例えば、制御部５１は、カメラ３３の動画像または静止画像の撮像の動作を制御する。例えば、制御部５１は、マイクロホン３５の感度または指向性を制御する。制御部５１には、信号処理部６１が設けられている。
【００３６】
信号処理部６１は、カメラ３３からの画像信号およびマイクロホン３５からの音声信号を符号化する。例えば、信号処理部６１は、カメラ３３からの画像信号およびマイクロホン３５からの音声信号をデジタル信号に符号化する。また、例えば、信号処理部６１は、カメラ３３からの画像信号をH.264/MPEG-4 AVCの方式で符号化し、マイクロホン３５からの音声信号をAAC（Advanced Audio Coding）の方式で符号化して、H.264/MPEG-4 AVCの方式の画像信号（画像データ）とAACの方式の音声信号（音声データ）とをMP4のファイルフォーマットに格納する。
【００３７】
制御部５１は、制御部５１から供給された符号化されている画像信号（画像データ）および音声信号（音声データ）を近距離無線通信部５２または有線接続インタフェース５４に供給する。
【００３８】
また、信号処理部６１は、マイクロホン３５からの音声信号から周囲の音を打ち消す音声を出力させる音声データを生成する。信号処理部６１は、周囲の音を打ち消す音声を出力させる音声データを駆動部５３に供給する。すなわち、信号処理部６１は、ノイズキャンセルのための音声データを生成して、駆動部５３に供給する。
【００３９】
近距離無線通信部５２は、IEEE（Institute of Electrical and Electronics Engineers）802.11に準拠する無線LAN（Local Area Network）、IEEE802.15.1に準拠するブルートゥース（登録商標）または、IEEE802.15.4に準拠するZigbee（登録商標）などの近距離無線通信により携帯電話機１２と通信する。近距離無線通信部５２は、制御部５１から供給された符号化されている画像信号および音声信号を近距離無線通信により携帯電話機１２に送信する。
【００４０】
また、近距離無線通信部５２は、携帯電話機１２から近距離無線通信で送信されてくる符号化されている音声信号を受信する。また、近距離無線通信部５２は、携帯電話機１２から近距離無線通信で送信されてくる符号化されている画像信号を受信する。例えば、近距離無線通信部５２は、MP4のファイルフォーマットに格納されている、H.264/MPEG-4 AVCの方式の画像信号とAACの方式の音声信号とを受信する。近距離無線通信部５２は、受信した符号化されている音声信号および画像信号を駆動部５３に供給する。
【００４１】
駆動部５３は、アンプリファイアまたはドライバなどを含むICなどからなり、イヤホン３４−１および３４−２並びに液晶表示装置付きシールド３２を駆動する。駆動部５３は、信号処理部６２を含む。信号処理部６２は、近距離無線通信部５２または有線接続インタフェース５４で受信された音声信号を復号する。例えば、信号処理部６２は、近距離無線通信部５２または有線接続インタフェース５４で受信された、デジタルデータとして符号化されている音声信号を、アナログ信号である音声信号に復号する。また、例えば、信号処理部６２は、AACの方式の音声信号を非圧縮のリニアPCM方式の音声信号（音声データ）に復号する。さらに、信号処理部６２は、近距離無線通信部５２または有線接続インタフェース５４で受信された画像信号を復号する。例えば、信号処理部６２は、H.264/MPEG-4 AVCの方式の画像信号を非圧縮の画像信号（画像データ）に復号する。
【００４２】
駆動部５３は、信号処理部６２で復号された音声信号により放音させるようにイヤホン３４−１および３４−２を駆動する。また、駆動部５３は、信号処理部６２で復号された画像信号により画像を表示させるように液晶表示装置付きシールド３２を駆動する。
【００４３】
また、駆動部５３は、信号処理部６１から供給された、周囲の音を打ち消す音声を出力させる音声データにより放音させるようにイヤホン３４−１および３４−２を駆動する。すなわち、駆動部５３は、ノイズキャンセルする音声を放音させるようにイヤホン３４−１および３４−２を駆動する。
【００４４】
有線接続インタフェース５４は、ケーブル１３を接続するインタフェースおよび有線通信を行うための通信処理を行う通信部などからなる。例えば、有線接続インタフェース５４は、USB（Universal Serial Bus）、具体的にはUSB Type-Cのレセプタクル（ジャック）、Thunderbolt（登録商標）のレセプタクル（ジャック）またはLightning（登録商標）コネクタを接続するためのレセプタクル（ジャック）などの、ケーブル１３を接続するインタフェースを含む。また、有線接続インタフェース５４は、ケーブル１３を接続するインタフェースの規格に応じた有線通信を行うための通信処理を行う通信部を含む。
【００４５】
有線接続インタフェース５４は、ケーブル１３を介した有線通信により携帯電話機１２と通信する。有線接続インタフェース５４は、ケーブル１３を介した有線通信により、制御部５１から供給された符号化されている画像信号および音声信号を携帯電話機１２に送信する。
【００４６】
また、有線接続インタフェース５４は、携帯電話機１２からケーブル１３を介した有線通信で送信されてくる符号化されている音声信号を受信する。さらに、有線接続インタフェース５４は、携帯電話機１２からケーブル１３を介した有線通信で送信されてくる符号化されている画像信号を受信する。例えば、有線接続インタフェース５４は、MP4のファイルフォーマットに格納されている、H.264/MPEG-4 AVCの方式の画像信号とAACの方式の音声信号とを受信する。有線接続インタフェース５４は、受信した符号化されている音声信号および画像信号を駆動部５３に供給する。
【００４７】
なお、有線接続インタフェース５４は、EIAJ（日本電子機械工業会）RC-5320AまたはEIAJ RC-6705などの直流電力を供給するためのコネクタのレセプタクル（ジャック）などを含み構成するようにしてもよい。
【００４８】
また、有線接続インタフェース５４には、電力分配器６３が設けられている。
【００４９】
電力分配器６３は、電力の電圧を所望の電圧に変換する直流電圧変換器などからなり、ケーブル１３を介して携帯電話機１２から供給された電力をカメラ３３、制御部５１、近距離無線通信部５２、有線接続インタフェース５４および駆動部５３に供給する。例えば、電力分配器６３は、15V、12V、8.4V、5Vまたは3Vなどいずれかの電圧の電力のそれぞれをカメラ３３、制御部５１、近距離無線通信部５２、有線接続インタフェース５４および駆動部５３に供給する。
【００５０】
なお、符号化された画像信号を画像データとも称し、符号化された音声信号を音声データとも称する。画像信号および音声信号は、アナログ信号およびデジタル信号のいずれも含む。
【００５１】
次に、携帯電話機１２のハードウェアの構成の例について説明する。図３は、携帯電話機１２のハードウェアの構成の例を示すブロック図である。携帯電話機１２はコンピュータとしての構成を含む。
【００５２】
携帯電話機１２の制御基板において、CPU８１，ROM８２，RAM（Random Access Memory）８３は、バス８４により相互に接続されている。
【００５３】
バス８４には、さらに、入出力インタフェース８５が接続されている。入出力インタフェース８５には、タッチスクリーン８６、GPS（Global Positioning System）受信部８７、加速度センサ８８、記憶部８９、近距離無線通信部９０、セルラー方式無線通信部９１、メモリカードスロット９２および外部接続インタフェース９４が接続されている。なお、図示は省略するが、入出力インタフェース８５には、マイクロホン、スピーカ、カメラおよび各種のスイッチなどが接続されている。
【００５４】
タッチスクリーン８６は、各種の画像や文字を表示する液晶表示装置または有機EL（Electronic Luminescent）表示装置などのフラットディスプレイと、フラットディスプレイの表示面の上側（表側）に設けられている、フラットディスプレイに表示された画像や文字を透過させ、指先や専用のペンで触れると触れられた透過面上の２次元的な位置を出力するタッチパネルとからなる。
【００５５】
GPS受信部８７は、衛星測位システムであるGPSの衛星からの信号であって、現在位置を測定するための信号を受信する。加速度センサ８８は、例えば、３次元加速度センサなどからなり、所定の軸方向の加速度を検知する。記憶部８９は、フラッシュメモリやMRAM（Magneto Resistive Random Access Memory）またはReRAM（Resistive Random Access Memory）などの書き換え可能な不揮発性の半導体メモリよりなる。近距離無線通信部９０は、IEEE802.11に準拠する無線LAN、IEEE802.15.1に準拠するブルートゥース（登録商標）または、IEEE802.15.4に準拠するZigbee（登録商標）などの近距離無線通信によりヘルメット１１と通信する。
【００５６】
セルラー方式無線通信部９１は、例えば、第４世代移動通信システムであるLTE-Advancedや第５世代移動通信システムである5G NR（New Radio）などの規格に基づいたセルラー方式無線通信により基地局と通信する。
【００５７】
メモリカードスロット９２は、フラッシュメモリやMRAMまたはReRAMなどの書き換え可能な不揮発性の半導体メモリを内蔵しているメモリカード９３が装着されると、メモリカード９３を読み書きする。
【００５８】
また、入出力インタフェース８５には、さらに、外部接続インタフェース９４が設けられている。外部接続インタフェース９４は、USB、具体的にはUSB Type-Cのレセプタクル（ジャック）、Thunderbolt（登録商標）のレセプタクル（ジャック）またはLightning（登録商標）コネクタを接続するためのレセプタクル（ジャック）などの、ケーブル１３を接続するインタフェースを含む。外部接続インタフェース９４は、ケーブル１３を接続するインタフェースの規格に応じた有線通信を行うための通信処理を行う通信部を含む。外部接続インタフェース９４は、ケーブル１３を介した有線通信でヘルメット１１から送信されてくる符号化されている音声信号または画像信号を受信し、入出力インタフェース８５を介して、RAM８３、記憶部８９またはメモリカードスロット９２に装着されているメモリカード９３に供給する。また、外部接続インタフェース９４は、入出力インタフェース８５を介して、RAM８３、記憶部８９またはメモリカードスロット９２に装着されているメモリカード９３から供給されてきた符号化されている音声信号または画像信号を、ケーブル１３を介した有線通信でヘルメット１１に送信する。
【００５９】
また、外部接続インタフェース９４は、ケーブル１３を介してヘルメット１１に接続されると、携帯電話機１２に内蔵されているバッテリ９５からケーブル１３を介してヘルメット１１に所定の直流電圧の電力を供給する。バッテリ９５は、リチウムイオン電池やニッケル水素電池などの充電可能な蓄電池、すなわち二次電池である。
【００６０】
以上のように構成されるコンピュータとしての携帯電話機１２では、CPU８１が、例えば、記憶部８９に記憶されているプログラムを、入出力インタフェース８５及びバス８４を介して、RAM８３にロードして実行することにより、後述する一連の処理が行われる。
【００６１】
コンピュータとしての携帯電話機１２（CPU８１）が実行するプログラムは、例えば、半導体メモリなどよりなるパッケージメディアであるメモリカード９３に記憶して、あるいは、セルラー方式無線通信、ローカルエリアネットワーク、インターネット、デジタル衛星放送といった、有線または無線の伝送媒体を介して提供される。
【００６２】
そして、プログラムは、メモリカード９３をメモリカードスロット９２に装着することにより、入出力インタフェース８５を介して、記憶部８９に記憶することで、コンピュータにインストールすることができる。また、プログラムは、セルラー方式無線通信部９１で受信し、記憶部８９に記憶することで、コンピュータにインストールすることができる。その他、プログラムは、ROM８２や記憶部８９にあらかじめ記憶しておくことで、コンピュータにあらかじめインストールしておくことができる。
【００６３】
すなわち、コンピュータとしての携帯電話機１２では、インストールされたプログラムを実行することにより、図４を参照して後述する機能が実現される。
【００６４】
図４は、プログラムを実行する携帯電話機１２において実現される機能の構成の例を示すブロック図である。すなわち、携帯電話機１２がプログラムであるヘルメットアプリ１０１を実行すると、アクティベート制御部１２１、近距離無線通信制御部１２２、セルラー方式無線通信制御部１２３、有線通信制御部１２４、現在位置取得部１２５、ナビゲーション処理部１２６および走行動画像記憶処理部１２７が実現される。
【００６５】
アクティベート制御部１２１は、いわゆる常駐プログラムからなり、外部接続インタフェース９４にケーブル１３を介してヘルメット１１が接続されると、近距離無線通信制御部１２２、セルラー方式無線通信制御部１２３、有線通信制御部１２４、現在位置取得部１２５、ナビゲーション処理部１２６および走行動画像記憶処理部１２７を有効化する。すなわち、アクティベート制御部１２１は、有線によるヘルメット１１への電力の供給の開始により機能を有効化する。
【００６６】
近距離無線通信制御部１２２は、近距離無線通信部９０を制御して、近距離無線通信によるヘルメット１１との通信を制御する。近距離無線通信制御部１２２は、近距離無線通信部９０に、画像データまたは音声データなど各種のデータをヘルメット１１宛に送信させる。また、近距離無線通信制御部１２２は、近距離無線通信部９０に、ヘルメット１１から送信されてくる画像データまたは音声データなど各種のデータを受信させる。
【００６７】
セルラー方式無線通信制御部１２３は、セルラー方式無線通信部９１を制御して、セルラー方式無線通信により基地局と通信し、また、基地局を介して他の機器と通信する。例えば、セルラー方式無線通信制御部１２３は、セルラー方式無線通信部９１に、所定の電話番号に発呼させ、相手が応答した場合、通話できるようにする。または、例えば、セルラー方式無線通信制御部１２３は、セルラー方式無線通信部９１に、他の機器からの発呼に応答して通話ができるようにする。
【００６８】
有線通信制御部１２４は、外部接続インタフェース９４を制御して、ケーブル１３を介した有線通信によるヘルメット１１との通信を制御する。有線通信制御部１２４は、外部接続インタフェース９４に、画像データまたは音声データなど各種のデータをヘルメット１１に送信させる。また、有線通信制御部１２４は、外部接続インタフェース９４に、ヘルメット１１から送信されてくる画像データまたは音声データなど各種のデータを受信させる。
【００６９】
現在位置取得部１２５は、GPS受信部８７で受信したGPSの衛星からの信号から、現在位置を取得する。
【００７０】
ナビゲーション処理部１２６は、現在位置から目的地までの経路を算出して、ケーブル１３を介した有線通信または近接無線通信によりヘルメット１１に経路を案内する画像データまたは音声データを供給する。ナビゲーション処理部１２６は、案内表示データ生成部１３１、案内音声データ生成部１３２、地図データ取得部１３３および経路算出部１３４を含む。案内表示データ生成部１３１は、現在位置から目的地までの経路を案内するための画像をヘルメット１１の液晶表示装置付きシールド３２に表示させる画像データである案内表示データを生成する。例えば、案内表示データは、経路を示す地図や曲がり角を指示する画像、または曲がり角までの距離を示す文字などをヘルメット１１の液晶表示装置付きシールド３２に表示させる。
【００７１】
案内音声データ生成部１３２は、経路を案内するための音声をヘルメット１１のイヤホン３４−１および３４−２に出力させる音声データである案内音声データを生成する。例えば、案内音声データは、直進や右左折の方向または曲がり角までの距離を示す音声などをヘルメット１１のイヤホン３４−１および３４−２に出力させる。
【００７２】
地図データ取得部１３３は、記憶部８９またはメモリカード９３に記憶されている地図データを記憶部８９またはメモリカード９３から読み出して取得するか、またはインターネットを介して地図データを供給するサーバにセルラー方式無線通信部９１にアクセスさせることでサーバから地図データを読み出して取得する。経路算出部１３４は、地図データ取得部１３３で取得された地図データを参照して、現在位置取得部１２５で取得された現在位置から、指示された目的地までの経路を算出する。例えば、経路算出部１３４は、地図データに表されている道路や交差点からなる道路ネットワーク上の距離や時間を計算し、最短または最適で走行できる経路を探索し、経路上の特徴箇所である交差点等の抽出を行い、経路を算出する。
【００７３】
走行動画像記憶処理部１２７は、ケーブル１３を介した有線通信または近接無線通信によりヘルメット１１から送信され、外部接続インタフェース９４または近距離無線通信部９０により受信された、ヘルメット１１の周囲の画像の画像データおよびヘルメット１１を装着している人の音声または周囲の音の音声データを記憶部８９またはメモリカード９３に記憶させる。走行動画像記憶処理部１２７は、加速度センサ８８からの信号により、所定の値を超える衝撃が携帯電話機１２に加わったか否かを判定し、所定の値を超える衝撃が携帯電話機１２に加わったと判定された場合、ヘルメット１１の周囲の画像の画像データおよびヘルメット１１を装着している人の音声または周囲の音の音声データを記憶部８９またはメモリカード９３に所定のファイルとして記憶させる。
【００７４】
走行動画像記憶処理部１２７は、記憶制御部１４１、衝撃算出部１４２および緊急連絡部１４３を含む。記憶制御部１４１は、画像データおよび音声データの記憶部８９またはメモリカード９３への書き込みを制御する。また、記憶制御部１４１は、画像データおよび音声データを記憶している記憶部８９またはメモリカード９３からの画像データおよび音声データの読み出しを制御する。衝撃算出部１４２は、加速度センサ８８からの信号から携帯電話機１２に加わった衝撃の大きさを算出する。緊急連絡部１４３は、所定の値を超える衝撃が携帯電話機１２に加わったと判定された場合、セルラー方式無線通信部９１に、セルラー方式無線通信により予め定められた連絡先に発呼させる。
【００７５】
図５は、ヘルメットアプリ１０１による起動の処理を説明するフローチャートである。ステップＳ１１において、常駐プログラムからなるアクティベート制御部１２１は、ヘルメット１１への電力の供給が開始されたか否か、すなわち、外部接続インタフェース９４にケーブル１３を介してヘルメット１１が接続されて、バッテリ９５の電力が外部接続インタフェース９４を通じてヘルメット１１への供給が開始されたか否かを判定する。
【００７６】
ステップＳ１１において、ヘルメット１１への電力の供給が開始されていないと判定された場合、手続きはステップＳ１１に戻り、判定の処理が繰り返される。
【００７７】
ステップＳ１１において、ヘルメット１１への電力の供給が開始されたと判定された場合、手続きはステップＳ１２に進み、アクティベート制御部１２１は、ヘルメットアプリ１０１の機能を有効化する。すなわち、アクティベート制御部１２１は、近距離無線通信制御部１２２、セルラー方式無線通信制御部１２３、有線通信制御部１２４、現在位置取得部１２５、ナビゲーション処理部１２６および走行動画像記憶処理部１２７を有効化する。
【００７８】
なお、ヘルメット１１への電力の供給が開始されると、ヘルメット１１の有線接続インタフェース５４の電力分配器６３が、カメラ３３、制御部５１、近距離無線通信部５２、有線接続インタフェース５４および駆動部５３への電力の供給を開始するので、カメラ３３、制御部５１、近距離無線通信部５２、有線接続インタフェース５４および駆動部５３が動作を開始する。
【００７９】
ステップＳ１３において、有線通信制御部１２４は、外部接続インタフェース９４を制御して、外部接続インタフェース９４にヘルメット１１の有線接続インタフェース５４とのケーブル１３を介した有線通信を接続させる。または、近距離無線通信制御部１２２は、近距離無線通信部９０を制御して、近距離無線通信部９０にヘルメット１１の近距離無線通信部５２との近距離無線通信を接続させる。
【００８０】
ステップＳ１４において、アクティベート制御部１２１は、ケーブル１３を介した有線通信または近距離無線通信を介してヘルメット１１から、ヘルメット１１のカメラ３３、マイクロホン３５、イヤホン３４−１および３４−２並びに液晶表示装置付きシールド３２の状態を取得する。この場合、ヘルメット１１の制御部５１は、診断機能などにより、画像や音声の取得の状態などのカメラ３３およびマイクロホン３５の状態を取得し、ヘルメット１１の駆動部５３は、診断機能などにより、音声の出力や画像の表示などのイヤホン３４−１および３４−２並びに液晶表示装置付きシールド３２の状態を取得する。そして、ヘルメット１１の有線接続インタフェース５４は、ケーブル１３を介した有線通信で、カメラ３３、マイクロホン３５、イヤホン３４−１および３４−２並びに液晶表示装置付きシールド３２の状態を示すデータを有線通信で携帯電話機１２に送信する。有線通信制御部１２４は、ヘルメット１１の有線接続インタフェース５４から送信されてくるデータを外部接続インタフェース９４に受信させ、アクティベート制御部１２１は、受信したデータから、カメラ３３、マイクロホン３５、イヤホン３４−１および３４−２並びに液晶表示装置付きシールド３２の状態を取得する。
【００８１】
または、ヘルメット１１の近距離無線通信部５２は、カメラ３３、マイクロホン３５、イヤホン３４−１および３４−２並びに液晶表示装置付きシールド３２の状態を示すデータを近距離無線通信で携帯電話機１２宛に送信する。近距離無線通信制御部１２２は、ヘルメット１１の近距離無線通信部５２から送信されてくるデータを近距離無線通信部９０に受信させ、アクティベート制御部１２１は、受信したデータから、カメラ３３、マイクロホン３５、イヤホン３４−１および３４−２並びに液晶表示装置付きシールド３２の状態を取得する。
【００８２】
ステップＳ１５において、アクティベート制御部１２１は、外部接続インタフェース９４または近距離無線通信部９０に起動を通知するための画像または音声のデータをヘルメット１１に送信させて、起動の処理は終了する。この場合、アクティベート制御部１２１は、予め記憶している、起動を通知するための画像または音声のデータを読み出して、起動を通知するための画像または音声のデータを近距離無線通信制御部１２２に供給する。そして、ヘルメット１１の有線接続インタフェース５４は、ケーブル１３を介した有線通信で、起動を通知するための画像または音声のデータを送信する。または、近距離無線通信制御部１２２は、近距離無線通信部９０に、ヘルメット１１の近距離無線通信部５２宛に、起動を通知するための画像または音声のデータを送信する。ヘルメット１１は、起動を通知するための画像または音声のデータを受信すると、起動を通知するための画像または音声のデータによって、液晶表示装置付きシールド３２に、起動を通知するための画像を表示させ、イヤホン３４−１および３４−２に起動を通知するための音声を出力させる。
【００８３】
ステップＳ１４およびステップＳ１５の手続きでは、有線通信および近距離無線通信の双方で、通信するようにしてもよい。また、デフォルトとして、有線通信で通信し、通信できなかったとき、近距離無線通信で通信するようにしてもよい。さらに、デフォルトとして、近距離無線通信で通信し、通信できなかったとき、有線通信で通信するようにしてもよい。
【００８４】
次に、走行動画像記憶の処理を説明する。走行動画像記憶の処理は、ヘルメット１１と携帯電話機１２とを、いわゆるドライブレコーダ（ダッシュカム）（車載型の画像記録装置）として機能させるものである。図６は、ヘルメットアプリ１０１による走行動画像記憶の処理を説明するフローチャートである。
【００８５】
ステップＳ２１において、走行動画像記憶処理部１２７は、ヘルメット１１の制御部５１にカメラ３３による動画像の撮像を開始させる。この場合、走行動画像記憶処理部１２７は、カメラ３３に対する動画像の撮像の開始の指令（以下、撮像開始指令と称する）を生成し、撮像開始指令を有線通信または近距離無線通信でヘルメット１１に送信することで、ヘルメット１１のカメラ３３が、動画像の撮像を開始する。例えば、有線通信制御部１２４は、外部接続インタフェース９４に、撮像開始指令をヘルメット１１に送信させる。ヘルメット１１の有線接続インタフェース５４は、撮像開始指令を受信すると、撮像開始指令を制御部５１に供給する。
【００８６】
または、例えば、近距離無線通信制御部１２２は、近距離無線通信部９０に、撮像開始指令をヘルメット１１の近距離無線通信部５２宛に送信させる。ヘルメット１１の近距離無線通信部５２は、撮像開始指令を受信すると、撮像開始指令を制御部５１に供給する。
【００８７】
制御部５１は、有線接続インタフェース５４または近距離無線通信部５２から撮像開始指令を受け取ると、カメラ３３に動画像の撮像を開始させる。これにより、カメラ３３は、ヘルメット１１の周囲の動画像の撮像を開始して、制御部５１への画像信号の出力を開始する。
【００８８】
ステップＳ２２において、走行動画像記憶処理部１２７は、ヘルメット１１の制御部５１にマイクロホン３５による集音を開始させる。この場合、走行動画像記憶処理部１２７は、マイクロホン３５による集音の開始の指令（以下、集音開始指令と称する）を生成し、集音開始指令を有線通信または近距離無線通信でヘルメット１１に送信することで、ヘルメット１１のマイクロホン３５が、集音を開始する。例えば、有線通信制御部１２４は、外部接続インタフェース９４に、集音開始指令をヘルメット１１に送信させる。ヘルメット１１の有線接続インタフェース５４は、集音開始指令を受信すると、撮像開始指令を制御部５１に供給する。
【００８９】
また、例えば、近距離無線通信制御部１２２は、近距離無線通信部９０に、集音開始指令をヘルメット１１の近距離無線通信部５２宛に送信させる。ヘルメット１１の近距離無線通信部５２は、集音開始指令を受信すると、撮像開始指令を制御部５１に供給する。
【００９０】
制御部５１は、有線接続インタフェース５４または近距離無線通信部５２から集音開始指令を受け取ると、マイクロホン３５からの信号の読み取りを開始させる。これにより、制御部５１は、ヘルメット１１を装着しているライダーの音声または周囲の音の取得を開始する。
【００９１】
ステップＳ２３において、走行動画像記憶処理部１２７は、ヘルメット１１の制御部５１の信号処理部６１に動画像と音声の符号化を開始させる。この場合、走行動画像記憶処理部１２７は、動画像と音声の符号化の開始の指令（以下、符号化開始指令と称する）を生成し、符号化開始指令を有線通信または近距離無線通信でヘルメット１１に送信することで、ヘルメット１１の制御部５１の信号処理部６１が、動画像と音声の符号化を開始する。例えば、有線通信制御部１２４は、外部接続インタフェース９４に、符号化開始指令をヘルメット１１に送信させる。ヘルメット１１の有線接続インタフェース５４は、符号化開始指令を受信すると、撮像開始指令を制御部５１に供給する。
【００９２】
また、例えば、近距離無線通信制御部１２２は、近距離無線通信部９０に、符号化開始指令をヘルメット１１の近距離無線通信部５２宛に送信させる。ヘルメット１１の近距離無線通信部５２は、符号化開始指令を受信すると、符号化開始指令を制御部５１に供給する。
【００９３】
制御部５１は、有線接続インタフェース５４または近距離無線通信部５２から符号化開始指令を受け取ると、信号処理部６１に、カメラ３３からの画像信号およびマイクロホン３５からの音声信号の符号化を開始させる。信号処理部６１は、カメラ３３からの画像信号およびマイクロホン３５からの音声信号を符号化し、符号化された画像データおよび音声データを近距離無線通信部５２に供給する。例えば、信号処理部６１は、カメラ３３からの画像信号をH.265/HEVC（High Efficiency Video Coding）またはVVC（Versatile Video Coding）の方式で符号化し、マイクロホン３５からの音声信号をaptXの方式で符号化して、符号化された画像データおよび音声データを近距離無線通信部５２に供給する。
【００９４】
ステップＳ２４において、走行動画像記憶処理部１２７は、有線通信または近距離無線通信で、ヘルメット１１に符号化された画像データおよび音声データを送信させる。この場合、走行動画像記憶処理部１２７は、近距離無線通信制御部１２２または有線通信制御部１２４に画像データおよび音声データの受信を要求する。近距離無線通信制御部１２２は、近距離無線通信部９０に、画像データおよび音声データの送信の要求をヘルメット１１の近距離無線通信部５２宛に送信させる。または、有線通信制御部１２４は、外部接続インタフェース９４に、画像データおよび音声データの送信の要求をヘルメット１１の有線接続インタフェース５４に送信させる。
【００９５】
ヘルメット１１の近距離無線通信部５２は、画像データおよび音声データの送信が要求されると、信号処理部６１から供給される符号化された画像データおよび音声データを近距離無線通信部９０宛に送信する。または、ヘルメット１１の有線接続インタフェース５４は、画像データおよび音声データの送信が要求されると、信号処理部６１から供給される符号化された画像データおよび音声データを外部接続インタフェース９４に送信する。
【００９６】
ステップＳ２５において、近距離無線通信制御部１２２は、近距離無線通信部９０に、ヘルメット１１から近距離無線通信で送信されてくる符号化された画像データおよび音声データを受信させる。近距離無線通信制御部１２２は、受信した画像データおよび音声データを走行動画像記憶処理部１２７に供給する。または、ステップＳ２５において、有線通信制御部１２４は、外部接続インタフェース９４に、ヘルメット１１から有線通信で送信されてくる符号化された画像データおよび音声データを受信させる。有線通信制御部１２４は、受信した画像データおよび音声データを走行動画像記憶処理部１２７に供給する。
【００９７】
なお、ステップＳ２１乃至ステップＳ２５における、携帯電話機１２とヘルメット１１との通信は、有線通信および近距離無線通信のいずれか一方または両方で行うことができる。また、デフォルトとして、有線通信で通信し、通信できなかったとき、近距離無線通信で通信するようにしてもよい。さらに、デフォルトとして、近距離無線通信で通信し、通信できなかったとき、有線通信で通信するようにしてもよい。
【００９８】
ステップＳ２６において、走行動画像記憶処理部１２７は、受信した画像データおよび音声データを記憶部８９またはメモリカード９３に記憶させる。
【００９９】
ステップＳ２７において、走行動画像記憶処理部１２７は、ライダーの音声を取得したマイクロホン３５からの信号またはタッチスクリーン８６からの信号などを参照して、走行動画像記憶の処理の停止が要求されたか否かを判定する。ステップＳ２７において、走行動画像記憶の処理の停止が要求されていないと判定された場合、手続きはステップＳ２８に進み、走行動画像記憶処理部１２７の衝撃算出部１４２は、加速度センサ８８からの信号から携帯電話機１２に加わった衝撃の大きさを算出する。
【０１００】
ステップＳ２９において、走行動画像記憶処理部１２７は、閾値である所定の値とステップＳ２７において算出された衝撃の大きさとを比較して、所定の値を超える衝撃が携帯電話機１２に加わったか否かを判定する。ステップＳ２９において、所定の値を超える衝撃が携帯電話機１２に加わったと判定された場合、手続きは、ステップＳ３０に進み、走行動画像記憶処理部１２７の記憶制御部１４１は、衝撃が加わった時刻の前後の所定の期間の動画像および音声を示す画像データおよび音声データを記憶部８９またはメモリカード９３に記憶させる（書き込む）。
【０１０１】
ステップＳ３１において、走行動画像記憶処理部１２７の緊急連絡部１４３は、セルラー方式無線通信部９１に、セルラー方式無線通信により予め定められた連絡先に衝撃が生じたことを連絡させる。この場合、例えば、緊急連絡部１４３は、音声またはデータにより、保険会社やヘルメット１１のメーカー、または警備会社など、予め定められた連絡先に衝撃が生じたことを連絡する。また、例えば、緊急連絡部１４３は、現在位置取得部１２５から現在位置を示す現在位置データを取得して、現在位置データおよびヘルメット１１またはヘルメット１１を装着しているライダーを識別する識別データ（例えば、ライダーのID（identification）番号、ライダーの名前や登録番号などを示す）を含むデータにより、予め定められた連絡先に衝撃が生じたことを連絡する。
【０１０２】
ステップＳ３２において、走行動画像記憶処理部１２７は、ヘルメット１１のマイクロホン３５への音声またはタッチスクリーン８６に表示されたアイコンへの操作などから通話が要求されたか否かを判定する。ステップＳ３２において、通話が要求されたと判定された場合、手続きはステップＳ３３に進み、走行動画像記憶処理部１２７の緊急連絡部１４３は、セルラー方式無線通信部９１に、セルラー方式無線通信により予め定められた連絡先に発呼させる。
【０１０３】
ステップＳ２９において、所定の値を超える衝撃が携帯電話機１２に加わっていないと判定された場合、ステップＳ３２において、通話が要求されていないと判定された場合、またはステップＳ３３の手続きの後、手続きはステップＳ２７に戻り、上述した手続きが繰り返される。
【０１０４】
ステップＳ２７において、走行動画像記憶の処理の停止が要求されたと判定された場合、走行動画像記憶の処理は終了する。
【０１０５】
次に、目的地までの経路を案内するナビゲーションの処理について説明する。図７は、ヘルメットアプリ１０１によるナビゲーションの処理を説明するフローチャートである。
【０１０６】
ステップＳ５１において、ナビゲーション処理部１２６は、現在位置取得部１２５から現在位置を示す現在位置データを取得する。ステップＳ５２において、ナビゲーション処理部１２６は、ヘルメット１１から目的地を指示する音声の音声データを取得する。この場合、ヘルメット１１の近距離無線通信部５２は、マイクロホン３５で取得された音声であって、ヘルメット１１を装着しているライダーの目的地を指示する音声が符号化された音声データを送信してくるので、ナビゲーション処理部１２６は、近距離無線通信制御部１２２に制御された近距離無線通信部９０に音声データを受信させて、目的地を指示する音声の音声データを取得する。または、ヘルメット１１の有線接続インタフェース５４は、マイクロホン３５で取得された音声であって、ヘルメット１１を装着しているライダーの目的地を指示する音声が符号化された音声データを送信してくるので、ナビゲーション処理部１２６は、有線通信制御部１２４に制御された外部接続インタフェース９４に音声データを受信させて、目的地を指示する音声の音声データを取得する。
【０１０７】
ステップＳ５３において、ナビゲーション処理部１２６は、音声データから目的地を特定する。例えば、ナビゲーション処理部１２６は、音声データから音声で示される単語を認識して、形態素解析などにより単語で示される目的地を特定する。
【０１０８】
ステップＳ５４において、ナビゲーション処理部１２６の経路算出部１３４は、地図データ取得部１３３で取得された地図データを参照して、現在位置取得部１２５で取得された現在位置から、ステップＳ５３の手続きで取得された目的地までの経路を算出する。
【０１０９】
ステップＳ５５において、ナビゲーション処理部１２６は、現在位置取得部１２５から現在位置を示す現在位置データを取得する。ステップＳ５６において、ナビゲーション処理部１２６の案内表示データ生成部１３１は、地図データ取得部１３３から取得した地図データから、現在位置から目的地までの経路を案内するための画像を表示させる画像データである案内表示データを生成する。この場合、地図データ取得部１３３は、地図データを記憶部８９またはメモリカード９３から読み出して取得するか、またはインターネットを介して地図データを供給するサーバにセルラー方式無線通信部９１にアクセスさせることでサーバから地図データを読み出して取得する。なお、案内表示データ生成部１３１は、H.265/HEVCまたはVVCなどの所定の符号化方式で案内表示データを符号化する。
【０１１０】
ステップＳ５７において、ナビゲーション処理部１２６は、ステップＳ５６の手続きで生成した案内表示データをヘルメット１１に有線通信または近距離無線通信で送信する。例えば、この場合、ナビゲーション処理部１２６は、有線通信制御部１２４に案内表示データの送信を要求する。有線通信制御部１２４は、外部接続インタフェース９４に、案内表示データをヘルメット１１の有線接続インタフェース５４に送信させる。ヘルメット１１の有線接続インタフェース５４は、携帯電話機１２から送信されてくる案内表示データを受信する。ヘルメット１１の有線接続インタフェース５４は、受信した案内表示データをヘルメット１１の駆動部５３に供給する。
【０１１１】
または、例えば、ナビゲーション処理部１２６は、近距離無線通信制御部１２２に案内表示データの送信を要求する。近距離無線通信制御部１２２は、近距離無線通信部９０に、案内表示データをヘルメット１１の近距離無線通信部５２宛に送信させる。ヘルメット１１の近距離無線通信部５２は、携帯電話機１２から送信されてくる案内表示データを受信する。ヘルメット１１の近距離無線通信部５２は、受信した案内表示データをヘルメット１１の駆動部５３に供給する。
【０１１２】
駆動部５３の信号処理部６２は、有線接続インタフェース５４または近距離無線通信部５２から供給された、符号化されている案内表示データを復号する。ヘルメット１１の駆動部５３は、案内表示データを復号して得られた画像信号により画像を表示させるように液晶表示装置付きシールド３２を駆動する。
【０１１３】
このように、ヘルメット１１の液晶表示装置付きシールド３２には、現在位置から目的地までの経路を案内するための画像が表示される。
【０１１４】
ステップＳ５８において、ナビゲーション処理部１２６は、曲がり角の近傍であるまたは踏切やインターチェンジなどの注意を要する箇所に差し掛かった場合など、経路について音声案内をするか否かを判定する。ステップＳ５８において、音声案内をすると判定された場合、手続きはステップＳ５９に進み、案内音声データ生成部１３２は、経路を案内するための音声を出力させる音声データである案内音声データを生成する。この場合、例えば、案内音声データ生成部１３２は、辞書データを参照してマルコフ連鎖などにより文章を生成して、音声合成により文章を読み上げて案内音声データを生成する。なお、案内音声データ生成部１３２は、aptXなどの所定の符号化方式で案内音声データを符号化する。
【０１１５】
ステップＳ６０において、ナビゲーション処理部１２６は、ステップＳ５８の手続きで生成した案内音声データをヘルメット１１に有線通信または近距離無線通信で送信する。例えば、この場合、ナビゲーション処理部１２６は、有線通信制御部１２４に案内音声データの送信を要求する。有線通信制御部１２４は、外部接続インタフェース９４に、案内音声データをヘルメット１１の有線接続インタフェース５４に送信させる。ヘルメット１１の有線接続インタフェース５４は、携帯電話機１２から送信されてくる案内音声データを受信する。ヘルメット１１の有線接続インタフェース５４は、受信した案内音声データをヘルメット１１の駆動部５３に供給する。
【０１１６】
または、例えば、ナビゲーション処理部１２６は、近距離無線通信制御部１２２に案内音声データの送信を要求する。近距離無線通信制御部１２２は、近距離無線通信部９０に、案内音声データをヘルメット１１の近距離無線通信部５２宛に送信させる。ヘルメット１１の近距離無線通信部５２は、携帯電話機１２から送信されてくる案内音声データを受信する。ヘルメット１１の近距離無線通信部５２は、受信した案内音声データをヘルメット１１の駆動部５３に供給する。
【０１１７】
駆動部５３の信号処理部６２は、有線接続インタフェース５４または近距離無線通信部５２から供給された、符号化されている案内音声データを復号する。ヘルメット１１の駆動部５３は、案内音声データを復号して得られた音声信号により放音させるようにイヤホン３４−１および３４−２を駆動する。
【０１１８】
このように、ヘルメット１１のイヤホン３４−１および３４−２により、案内の音声が出力される。
【０１１９】
ステップＳ５８において、音声案内をしないと判定された場合、ステップＳ５９およびステップＳ６０の手続きはスキップされる。
【０１２０】
ステップＳ６１において、ナビゲーション処理部１２６は、経路を外れた場合またはヘルメット１１を装着しているライダーから要求された場合など、経路を再度算出するか否かを判定する。ステップＳ６１において、経路を再度算出すると判定された場合、手続きはステップＳ５４に戻り、上述した手続きが繰り返される。
【０１２１】
ステップＳ６１において、経路を再度算出しないと判定された場合、手続きはステップＳ６２に進む。ステップＳ６２において、ナビゲーション処理部１２６は、現在位置取得部１２５から取得した現在位置データで示される現在位置と目的地とを比較して、目的地に到達したか否かを判定する。
【０１２２】
ステップＳ６２において、目的地に到達していないと判定された場合、手続きはステップＳ５５に戻り、上述した手続きが繰り返される。
【０１２３】
ステップＳ６２において、目的地に到達したと判定された場合、手続きはステップＳ６３に進み、ナビゲーション処理部１２６の案内表示データ生成部１３１は、目的地の到達を通知する案内表示データを生成し、ナビゲーション処理部１２６の案内音声データ生成部１３２は、目的地の到達を通知する案内音声データを生成する。
【０１２４】
ステップＳ６４において、ナビゲーション処理部１２６は、目的地の到達を通知する案内表示データおよび案内音声データをヘルメット１１に有線通信または近距離無線通信で送信して、ナビゲーションの処理は終了する。なお、目的地の到達を通知する案内表示データおよび案内音声データのヘルメット１１への送信の手続きは、ステップＳ５７およびステップＳ６０の手続きと同様に行われるので詳細の説明は省略する。
【０１２５】
なお、ステップＳ５７、ステップＳ６０またはステップＳ６４における、携帯電話機１２とヘルメット１１との通信は、有線通信および近距離無線通信のいずれか一方または両方で行うことができる。また、デフォルトとして、有線通信で通信し、通信できなかったとき、近距離無線通信で通信するようにしてもよい。さらに、デフォルトとして、近距離無線通信で通信し、通信できなかったとき、有線通信で通信するようにしてもよい。
【０１２６】
なお、ヘルメット１１の液晶表示装置付きシールド３２に拡張現実または複合現実の画像を表示させ、イヤホン３４−１および３４−２に拡張現実または複合現実の音声を出力させるようにしてもよい。
【０１２７】
このように、重量が重く、体積が大きいバッテリをヘルメット１１に設ける必要がないので、ヘルメット１１の重量が重くなってしまうことがなく、ヘルメット１１自身の体積も不要に大きくならない。
【０１２８】
ヘルメット１１の重心位置は、ライダーの頭の中心に近いことが好ましいが、バッテリが不要なのでヘルメット１１の重心位置が変化してバランスが悪くなることもない。このように、ヘルメット１１では、頭部を保護するというヘルメット１１の基本的な機能を維持することができる。
【０１２９】
以上のように、ヘルメット１１の基本的な機能の劣化をより少なくして、ヘルメット１１において画像や音声を利用できる。
【０１３０】
携帯電話機１２が上述した処理を行うようにしたので、ヘルメット１１側での処理が少なくなり、これにより、電波の影響を受ける他の機器に干渉することがより少なくなる。
【０１３１】
なお、イヤホン３４−１および３４−２は、耳覆い形、耳載せ形、挿入形または骨伝導形でもよく、ヘッドホンであっても良い。イヤホン３４−１および３４−２並びにマイクロホン３５は、ヘッドセットであっても良い。イヤホン３４−１および３４−２は、いずれか一方を設けるようにしてもよい。
【０１３２】
また、カメラ３３は、帽体３１のチンガードの部分、天頂部分、側頭部の部分または後部の部分に設けるようにしてもよい。カメラ３３は、１つまたは複数設けるようにしてもよい。カメラ３３を帽体３１の外付けにして、強い力が加わった場合に、カメラ３３が帽体３１から外れるようにすることもできる。
【０１３３】
なお、ヘルメット１１は、自転車である２輪車用のヘルメットとすることもできる。
【０１３４】
また、ヘルメット１１は、携帯電話機１２から電力が供給されると説明したが、これに限らず、２輪車またはモバイルバッテリから有線で電力が供給されるようにしてもよい。
【０１３５】
なお、ヘルメット１１の内側にスイッチを設けて、ヘルメット１１をライダーが被ったか否かを検知するようにして、有線を介したヘルメット１１への電力の供給が開始されて、ヘルメット１１をライダーが被った場合に、アクティベート制御部１２１が、近距離無線通信制御部１２２、セルラー方式無線通信制御部１２３、有線通信制御部１２４、現在位置取得部１２５、ナビゲーション処理部１２６および走行動画像記憶処理部１２７を有効化するようにしてもよい。
【０１３６】
また、有線を介したヘルメット１１への電力の供給が開始されて、ライダーが所定の音声（例えば、ヘイーショー、オーケーメットなど）を発音した場合、アクティベート制御部１２１が、近距離無線通信制御部１２２、セルラー方式無線通信制御部１２３、有線通信制御部１２４、現在位置取得部１２５、ナビゲーション処理部１２６および走行動画像記憶処理部１２７を有効化するようにしてもよい。
【０１３７】
なお、ヘルメット１１は、フルフェース型であると説明したが、これに限らず、オープンフェース型（ジェット型）、スリークォーターズ型、ハーフ型またはフリップアップ型などいずれの形状であってもよい。
【０１３８】
また、ヘルメット１１に、液晶表示装置付きシールド３２に代えて、または液晶表示装置付きシールド３２と共に、ヘッドアップディスプレイを設けて、画像を表示させるようにしてもよい。
【０１３９】
なお、ケーブル１３は、一方の端部がヘルメット１１に固定されているものであってもよい。例えば、ヘルメット１１にケーブル１３を巻き取るリールを設けて、ケーブル１３を繰り出すか、巻き取ることができるようにしてもよい。また、ケーブル１３の端部のうち、ヘルメット１１側の端部に、有線接続インタフェース５４との係止機構または噛み合い機構を設けることで、ケーブル１３にある程度の力が加わっても有線接続インタフェース５４からのケーブル１３の抜けを防止することができる。
【０１４０】
また、携帯電話機１２とヘルメット１１との通信は、有線通信および近距離無線通信のいずれか一方または両方で行うことができると説明したが、画像データや音声データ、または指令などのデータの種類により、有線通信と近距離無線通信とを使い分けるようにしてもよく、また、有線通信と近距離無線通信とで、２重に通信するようにしてもよい。また、携帯電話機１２からヘルメット１１へ通信と、ヘルメット１１から携帯電話機１２への通信とを、一方を有線通信して、他方を近距離無線通信とすることもできる。
【０１４１】
このように、ヘルメット／携帯電話機システム１は、２輪車用のヘルメット１１および携帯電話機１２からなる。ヘルメット１１は、ヘルメット１１の周囲の動画像または静止画像を撮像して画像信号を出力するカメラ３３と、ヘルメット１１を装着している人の音声または周囲の音を取得して第１の音声信号を出力するマイクロホン３５と、ヘルメット１１を装着している人の耳に近接して放音するイヤホン３４−１または３４−２と、カメラ３３からの画像信号およびマイクロホン３５からの第１の音声信号を符号化する信号処理部６１と、信号処理部６１で符号化された画像信号および第１の音声信号を携帯電話機１２に送信し、携帯電話機１２から送信されてくる第２の音声信号を受信する近距離無線通信部５２または有線接続インタフェース５４と、第２の音声信号により放音させるようにイヤホン３４−１または３４−２を駆動する駆動部５３と、携帯電話機１２または他の機器から有線で供給された電力をカメラ３３、信号処理部６１、近距離無線通信部５２または有線接続インタフェース５４および駆動部５３に分配する電力分配器６３とを備える。携帯電話機１２は、携帯電話機１２に内蔵されているバッテリ９５からヘルメット１１に電力を有線で供給する外部接続インタフェース９４と、ヘルメット１１から送信されてくる画像信号および第１の音声信号を受信し、ヘルメット１１に第２の音声信号を送信する近距離無線通信部９０とを備える。
【０１４２】
また、ヘルメット１１は、２輪車用のヘルメット１１であって、周囲の動画像または静止画像を撮像して第１の画像信号を出力するカメラ３３と、装着している人の音声または周囲の音を取得して第１の音声信号を出力するマイクロホン３５と、装着している人の耳に近接して放音するイヤホン３４−１または３４−２と、カメラ３３からの第１の画像信号およびマイクロホン３５からの第１の音声信号を符号化する信号処理部６１と、信号処理部６１で符号化された第１の画像信号および第１の音声信号を人の携帯電話機１２に送信し、携帯電話機１２から送信されてくる第２の音声信号を受信する近距離無線通信部５２または有線接続インタフェース５４と、第２の音声信号により放音させるようにイヤホン３４−１または３４−２を駆動する駆動部５３と、携帯電話機１２または他の機器から有線で供給された電力をカメラ３３、信号処理部６１、近距離無線通信部５２または有線接続インタフェース５４および駆動部５３に分配する電力分配器６３とを備える。
【０１４３】
信号処理部６１には、周囲の音を打ち消す音声を出力させる第３の音声信号を第１の音声信号から生成させ、駆動部５３には、第３の音声信号により放音させるようにイヤホン３４−１または３４−２を駆動させることができる。
【０１４４】
近距離無線通信部５２には、携帯電話機１２から送信されてくる第２の画像信号を受信させ、第２の画像信号による画像を表示する液晶表示装置付きシールド３２をさらにもうけることができる。
【０１４５】
液晶表示装置付きシールド３２に、液晶表示装置を設けることができる。
【０１４６】
画像を表示する液晶表示装置付きシールド３２、イヤホン３４−１または３４−２、有線通信または近距離無線通信で通信する近距離無線通信部５２または有線接続インタフェース５４、液晶表示装置付きシールド３２およびイヤホン３４−１または３４−２を駆動する駆動部５３並びに近距離無線通信部５２または有線接続インタフェース５４および駆動部５３に電力を分配する電力分配器６３を備える２輪車用のヘルメット１１に有線で電力を供給し、ヘルメット１１に有線通信および近距離無線通信のいずれか一方または両方で接続される携帯電話機１２を制御するコンピュータであるCPU８１に実行されるプログラムは、経路を案内するための画像をヘルメット１１の液晶表示装置付きシールド３２に表示させる画像データを生成する画像データ生成ステップと、経路を案内するための音声をヘルメット１１のイヤホン３４−１または３４−２に出力させる音声データを生成する音声データ生成ステップと、有線通信および近接無線通信のいずれか一方または両方による画像データおよび音声データのヘルメット１１への送信を制御する送信制御ステップと、有線によるヘルメット１１への電力の供給の開始により、画像データ生成ステップ、音声データ生成ステップおよび送信制御ステップを行う機能を有効化する有効化ステップとを含む処理を実行させる。
【０１４７】
周囲を撮像するカメラ３３、マイクロホン３５および有線通信または近距離無線通信で通信する近距離無線通信部５２または有線接続インタフェース５４並びにカメラ３３および近距離無線通信部５２または有線接続インタフェース５４に電力を分配する電力分配器６３を備える２輪車用のヘルメット１１に有線で電力を供給し、ヘルメット１１に有線通信および近距離無線通信のいずれか一方または両方で接続される携帯電話機１２を制御するコンピュータであるCPU８１に実行されるプログラムは、有線通信および近接無線通信のいずれか一方または両方によりヘルメット１１から送信されてくる、ヘルメット１１の周囲の画像の画像データおよびヘルメット１１を装着している人の音声または周囲の音の音声データの受信を制御する受信制御ステップと、携帯電話機１２に内蔵されている加速度センサ８８から信号により、所定の値を超える衝撃が携帯電話機１２に加わったか否かを判定する判定ステップと、所定の値を超える衝撃が携帯電話機１２に加わったと判定された場合、画像データおよび音声データを記憶部８９またはメモリカード９３に記憶するように記憶を制御する記憶制御ステップと、有線によるヘルメット１１への電力の供給の開始により、受信制御ステップ、判定ステップおよび記憶制御ステップを行う機能を有効化する有効化ステップとを含む処理を実行させる。
【０１４８】
プログラムには、コンピュータであるCPU８１に、所定の値を超える衝撃が携帯電話機１２に加わったと判定された場合、セルラー方式無線通信により予め定められた連絡先に発呼する通信制御ステップをさらに含む処理を実行させることができる。
【０１４９】
また、本発明の実施の形態は、上述した実施の形態に限定されるものではなく、本発明の要旨を逸脱しない範囲において種々の変更が可能である。
【符号の説明】
【０１５０】
１  ヘルメット／携帯電話機システム，  １１  ヘルメット，  １２  携帯電話機，  １３  ケーブル，  ３１  帽体，  ３２  液晶表示装置付きシールド，  ３３  カメラ，  ３４−１および３４−２  イヤホン，  ３５  マイクロホン，  ５１  制御部，  ５２  近距離無線通信部，  ５３  駆動部，  ５４  有線接続インタフェース，  ６１  信号処理部，  ６２  信号処理部，  ６３  電力分配器，  ８１  CPU，  ８２  ROM，  ８３  RAM，  ８４  バス，  ８５  入出力インタフェース，  ８６  タッチスクリーン，  ８７  GPS受信部，  ８８  加速度センサ，  ８９  記憶部，  ９０  近距離無線通信部，  ９１  セルラー方式無線通信部，  ９２  メモリカードスロット，  ９３  メモリカード，  ９４  外部接続インタフェース，  ９５  バッテリ，  １２１  アクティベート制御部，  １２２  近距離無線通信制御部，  １２３  セルラー方式無線通信制御部，  １２４  有線通信制御部，  １２５  現在位置取得部，  １２６  ナビゲーション処理部，  １２７  走行動画像記憶処理部，  １３１  案内表示データ生成部，  １３２  案内音声データ生成部，  １３３  地図データ取得部，  １３４  経路算出部，  １４１  記憶制御部，  １４２  衝撃算出部，  １４３  緊急連絡部
【図１】
0006956456.tif 000002
【図２】
0006956456.tif 000003
【図３】
0006956456.tif 000004
【図４】
0006956456.tif 000005
【図５】
0006956456.tif 000006
【図６】
0006956456.tif 000007
【図７】
0006956456.tif 000008